(57)【要約】【課題】  簡易な構成で確実に衣服を掛けることのできる衣服用ハンガーを提供しようとする。【解決手段】  従来の衣服を掛けることをできる衣服用ハンガーにかわって、フック部と肩掛部と横桟部とを有する衣服用ハンガーと、前記フック部に掛けて止める部分である掛止部を設けられ前記掛止部から所定の距離だけ離れた位置にある縁部を持つ可撓性の板状部材を有するズボン等掛止具を備え、前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる、ものとした。【選択図】    図２
2009125156.tif 000002
【特許請求の範囲】
【請求項１】
上部を鉤状に湾曲させ下部を縦方向に延ばした棒状のフック部と中央部を前記フック部の下部に連結して左右に拡がり衣服の肩部を掛けることをできる肩掛部と前記肩掛部の下方に位置し前記肩掛部に端部を連結し水平に伸びた棒状の横桟部とを有する衣服用ハンガーにズボン等を掛止めるためのズボン等掛止具であって、
前記フック部に掛けて止める部分である掛止部を設けられ前記掛止部から所定の距離だけ離れた位置にある縁部を持つ可撓性の板状部材を、
を備え、
前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる、
ことを特徴とするズボン等掛止具。
【請求項２】
前記掛止部が前記板状部材の一方の面から他方の面に貫通する貫通部であり、
前記フック部の上部が一方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる、
ことを特徴とする請求項１に記載のズボン等掛止具。
【請求項３】
前記掛止部が前記板状部材の他方の面の側に突起した部分であり上下方向に貫通する貫通部を設けられ、
前記フック部の上部が他方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる、
ことを特徴とする請求項１に記載のズボン等掛止具。
【請求項４】
前記横桟部に押付けられる前記縁部に近い箇所の少なくとも一部を覆うカバー部材を、
備えることを特徴とする請求項１に記載のズボン等掛止具。
【請求項５】
前記横桟部に押付けられる前記縁部に近い箇所の少なくとも一部が波状に成形されている、
ことを特徴とする請求項１に記載のズボン等掛止具。
【請求項６】
前記横桟部に押付けられる前記縁部に近い箇所の少なくとも一部が前記横桟部に向かって突起する、
ことを特徴とする請求項１に記載のズボン等掛止具。
【請求項７】
前記縁部に近い箇所の少なくとも一部が前記縁部を前記横桟部の下側に回り込ませる様に屈曲している、
ことを特徴とする請求項１に記載のズボン等掛止具。
【請求項８】
ズボン等を掛止めることをできるズボン等掛止具付き衣服用ハンガーであって、
上部を鉤状に湾曲させ下部を縦方向に延ばした棒状のフック部と中央部を前記フック部の下部に連結して左右に拡がり衣服の肩部を掛けることをできる肩掛部と前記肩掛部の下方に位置し前記肩掛部に端部を連結し水平に伸びた棒状の横桟部とを有する衣服用ハンガーと、
前記フック部に掛けて止める部分である掛止部を設けられ前記掛止部から所定の距離だけ離れた位置にある縁部を持つ可撓性の板状部材を有するズボン等掛止具と、
を備え、
前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる、
ことを特徴とするズボン等掛止具付き衣服用ハンガー。
【請求項９】
前記掛止部が前記板状部材の一方の面から他方の面に貫通する貫通部であり、
前記フック部の上部が一方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる、
ことを特徴とする請求項８に記載のズボン等掛止具付き衣服用ハンガー。
【請求項１０】
前記掛止部が前記板状部材の他方の面の側に突起した部分であり上下方向に貫通する貫通部を設けられ、
前記フック部の上部が他方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる、
ことを特徴とする請求項８に記載のズボン等掛止具付き衣服用ハンガー。
【請求項１１】
前記ズボン等掛止具が  前記横桟部に押付けられる前記縁部に近い箇所の少なくとも一部を覆うカバー部材を有する、
ことを特徴とする請求項８に記載のズボン等掛止具付き衣服用ハンガー。
【請求項１２】
前記ズボン等掛止具の前記横桟部に押付けられる前記縁部に近い箇所の少なくとも一部が波状に成形されている、
ことを特徴とする請求項８に記載のズボン等掛止具付き衣服用ハンガー。
【請求項１３】
前記ズボン等掛止具の前記横桟部に押付けられる前記縁部に近い箇所の少なくとも一部が前記横桟部に向かって突起する、
ことを特徴とする請求項８に記載のズボン等掛止具付き衣服用ハンガー。
【請求項１４】
前記ズボン等掛止具の前記縁部に近い箇所の少なくとも一部が前記縁部を前記横桟部の下側に回り込ませる様に屈曲している、
ことを特徴とする請求項８に記載のズボン等掛止具付き衣服用ハンガー。
【発明の詳細な説明】
【技術分野】
【０００１】
本発明は、衣服を掛けることをできる衣服用ハンガーに係る。特に、衣服用ハンガーにズボン等を掛止める構造に特徴のある衣服用ハンガーに関する。
【背景技術】
【０００２】
衣服を掛ける衣服用ハンガーは、フック部と肩掛部と横桟部とで構成される。
フック部は、上部が鉤状に湾曲した部分である。
肩掛部は、中央部を前記フック部の下部に連結して左右に拡がり衣服の上衣の肩部を掛けることをできる部分である。
横桟部は、肩掛部下方に位置し肩掛部に端部を連結し前記横桟部に沿って伸びた棒状部である。
使用者が、衣服のズボン等を横桟部に掛けると、しばしば衣服のズボン等が横桟部からずり落ちることがある。
この対策として幾つかの構造が提案されているが、構造が複雑で大量生産に向いていない。
【０００３】
【特許文献１】実開平６−７９３７６号
【特許文献２】特表２００１−５０４０１２号
【発明の開示】
【発明が解決しようとする課題】
【０００４】
本発明は以上に述べた問題点に鑑み案出されたもので、簡易な構成で確実に衣服を掛けることのできる衣服用ハンガーを提供しようとする。
【課題を解決するための手段】
【０００５】
上記目的を達成するため、本発明に係る上部を鉤状に湾曲させ下部を縦方向に延ばした棒状のフック部と中央部を前記フック部の下部に連結して左右に拡がり衣服の肩部を掛けることをできる肩掛部と前記肩掛部の下方に位置し前記肩掛部に端部を連結し水平に伸びた棒状の横桟部とを有する衣服用ハンガーにズボン等を掛止めるためのズボン等掛止具を、前記フック部に掛けて止める部分である掛止部を設けられ前記掛止部から所定の距離だけ離れた位置にある縁部を持つ可撓性の板状部材を、を備え、前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる、ものとした。
【０００６】
上記本発明の構成により、衣服用ハンガーがフック部と肩掛部と横桟部とを有し、フック部が上部を鉤状に湾曲させ下部を縦方向に延ばした棒状の部分であり、肩掛部が中央部を前記フック部の下部に連結して左右に拡がり衣服の肩部を掛けることをできる部分であり、横桟部が前記肩掛部の下方に位置し前記肩掛部に端部を連結し水平に伸びた棒状の部分である。前記板状部材が、前記フック部に掛けて止める部分である掛止部を設けられ前記掛止部から所定の距離だけ離れた位置にある縁部を持つ可撓性の部材である。前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる。
その結果、ズボン等掛止具が、衣服用ハンガーのフック部に掛けて止めた前記掛止部を支持点として板状部材の撓みにより前記板状部材の一方の面の縁部に近い箇所を前記横桟部に押付けて、横桟部に掛けたズボン等を掛け止めることをできる。
【０００７】
以下に、本発明のいくつかの実施形態を説明する。本発明は、以下に記載の実施形態のいずれか、またはそれらの中の二つ以上が組合わされた態様を含む。
【０００８】
本発明の実施形態に係るズボン等掛止具は、前記掛止部が前記板状部材の一方の面から他方の面に貫通する貫通部であり、前記フック部の上部が一方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
上記実施形態の構成により、前記貫通部が前記板状部材の一方の面から他方の面に貫通する部分である。前記フック部の上部が一方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
その結果、ズボン等掛止具が、衣服用ハンガーのフック部に掛けて止めた前記貫通部を支持点として板状部材の撓みにより前記板状部材の一方の面の縁部に近い箇所を前記横桟部に押付けて、横桟部に掛けたズボン等を掛け止めることをできる。
【０００９】
本発明の実施形態に係るズボン等掛止具は、前記掛止部が前記板状部材の他方の面の側に突起した部分であり上下方向に貫通する貫通部を設けられ、前記フック部の上部が他方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
上記実施形態の構成により、前記板状部材の他方の面の側に突起した部分が上下方向に貫通する貫通部を設けられる。前記フック部の上部が他方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
その結果、ズボン等掛止具が、衣服用ハンガーのフック部に掛けて止めた前記貫通部を支持点として板状部材の撓みにより前記板状部材の一方の面の縁部に近い箇所を前記横桟部に押付けて、横桟部に掛けたズボン等を掛け止めることをできる。
【００１０】
本発明の実施形態に係るズボン等掛止具は、前記横桟部に押付けられた前記縁部に近い箇所の少なくとも一部を覆うカバー部材を、備える。
上記実施形態の構成により、カバー部材が、前記横桟部に押付けられた前記縁部に近い箇所の少なくとも一部を覆う。
その結果、カバー部材が前記横桟部に押付けられる。
【００１１】
本発明の実施形態に係るズボン等掛止具は、前記横桟部に押付けられた前記縁部に近い箇所の少なくとも一部が波状に成形されている。
上記実施形態の構成により、前記ズボン等掛止具の波状に成形された前記縁部に近い箇所が前記横桟部に押付けられる。
その結果、ズボン等掛止具の波状に成形される部分で横桟部に掛けたズボン等を掛け止めることをできる。
【００１２】
さらに、本発明の実施形態に係るズボン等掛止具は、前記横桟部に押付けられる前記縁部に近い箇所の少なくとも一部が前記横桟部に向かって突起する。
上記実施形態の構成により、前記ズボン等掛止具の前記縁部に近い箇所が前記横桟部に向かって突起する。
その結果、ズボン等掛止具の突起している部分で横桟部に掛けたズボン等を掛け止めることをできる。
【００１３】
さらに、本発明の実施形態に係るズボン等掛止具は、前記縁部に近い箇所の少なくとも一部が前記縁部を前記横桟部の下側に回り込ませる様に屈曲している。
上記実施形態の構成により、ズボン等掛止具の前記縁部が前記横桟部の下側に回り込む。
その結果、前記縁部が前記横桟部の下側に回り込み横桟部に掛けたズボン等のずれを抑制できる。
【００１４】
上記目的を達成するため、本発明に係るズボンを掛止めることをできるズボン等掛止具付き衣服用ハンガーを、上部を鉤状に湾曲させ下部を縦方向に延ばした棒状のフック部と中央部を前記フック部の下部に連結して左右に拡がり衣服の肩部を掛けることをできる肩掛部と前記肩掛部の下方に位置し前記肩掛部に端部を連結し水平に伸びた棒状の横桟部とを有する衣服用ハンガーと、前記フック部に掛けて止める部分である掛止部を設けられ前記掛止部から所定の距離だけ離れた位置にある縁部を持つ可撓性の板状部材を、を備え、
前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる、ものとした。
【００１５】
衣服用ハンガーがフック部と肩掛部と横桟部とを有し、フック部が上部を鉤状に湾曲させ下部を縦方向に延ばした棒状の部分であり、肩掛部とが中央部を前記フック部の下部に連結して左右に拡がり衣服の肩部を掛けることをできる部分であり、横桟部が前記肩掛部の下方に位置し前記肩掛部に端部を連結し水平に伸びた棒状の部分である。板状部材が、前記フック部に掛けて止める部分である掛止部を設けられ前記掛止部から所定の距離だけ離れた位置にある縁部を持つ可撓性の部材である。前記掛止部を前記フック部に掛けて止め、前記掛止部から前記縁部に寄った側を前記肩掛部と前記横桟部との間に通すと、撓んで前記板状部材の一方の面の前記縁部に近い箇所が前記横桟部に押付けられる。
その結果、ズボン等掛止具が、衣服用ハンガーの前記フック部に掛かり合わされた前記掛止部を支持点として板状部材の撓みにより前記板状部材の一方の面の縁部に近い箇所を前記横桟部に押付けて、横桟部に掛けたズボン等を掛け止めることをできる。
【００１６】
以下に、本発明のいくつかの実施形態を説明する。本発明は、以下に記載の実施形態のいずれか、またはそれらの中の二つ以上が組合わされた態様を含む。
【００１７】
本発明の実施形態に係るズボン等掛止具付き衣服用ハンガーは、前記掛止部が前記板状部材の一方の面から他方の面に貫通する貫通部であり、前記フック部の上部が一方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
上記実施形態の構成により、前記貫通部が前記板状部材の一方の面から他方の面に貫通する部分である。前記フック部の上部が一方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
その結果、ズボン等掛止具が、衣服用ハンガーのフック部に掛けて止めた前記貫通部を支持点として板状部材の撓みにより前記板状部材の一方の面の縁部に近い箇所を前記横桟部に押付けて、横桟部に掛けたズボン等を掛け止めることをできる。
【００１８】
本発明の実施形態に係るズボン等掛止具付き衣服用ハンガーは、前記掛止部が前記板状部材の他方の面の側に突起した部分であり上下方向に貫通する貫通部を設けられ、
前記フック部の上部が他方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる。
上記実施形態の構成により、前記板状部材の他方の面の側に突起した部分が上下方向に貫通する貫通部を設けられる。前記フック部の上部が他方の面の側に位置する様に前記フック部を前記貫通部に貫通させて掛けて止め、前記貫通部から前記縁部に寄った側を前記肩掛部と前記横桟部との間に通すと、撓んで前記板状部材の一方の面の前記縁部に近い箇所が前記横桟部に押付けられる
その結果、ズボン等掛止具が、衣服用ハンガーのフック部に掛けて止めた前記貫通部を支持点として板状部材の撓みにより前記板状部材の一方の面の縁部に近い箇所を前記横桟部に押付けて、横桟部に掛けたズボン等を掛け止めることをできる。
【００１９】
さらに、本発明の実施形態に係るズボン等掛止具付き衣服用ハンガーは、前記ズボン等掛止具が  前記横桟部に押付けられた前記縁部に近い箇所の少なくとも一部を覆うカバー部材を有する。
上記実施形態の構成により、カバー部材が、前記横桟部に押付けられた前記縁部に近い箇所の少なくとも一部を覆う。
その結果、前記カバー部材が前記横桟部に押付けられる。
【００２０】
さらに、本発明の実施形態に係るズボン等掛止具付き衣服用ハンガーは、前記ズボン等掛止具の前記横桟部に押付けられる前記縁部に近い箇所の少なくとも一部が波状に成形されている。
上記実施形態の構成により、前記ズボン等掛止具の波状に成形された前記縁部に近い箇所が前記横桟部に押付けられる。
その結果、ズボン等掛止具の波状の部分で横桟部に掛けたズボン等を掛け止めることをできる。
【００２１】
さらに、本発明の実施形態に係るズボン等掛止具付き衣服用ハンガーは、前記ズボン等掛止具の前記横桟部に押付けられる前記縁部に近い箇所の少なくとも一部が前記横桟部に向かって突起する。
上記実施形態の構成により、前記ズボン等掛止具の波状に成形された前記縁部に近い箇所が前記横桟部に向かって突起する。
その結果、ズボン等掛止具の突起している部分で横桟部に掛けたズボン等を掛け止めることをできる。
【００２２】
さらに、本発明の実施形態に係るズボン等掛止具付き衣服用ハンガーは、前記ズボン等掛止具の前記縁部に近い箇所の少なくとも一部が前記縁部を前記横桟部の下側に回り込ませる様に屈曲している。
上記実施形態の構成により、ズボン等掛止具の前記縁部が前記横桟部の下側に回り込む。
その結果、ズボン等掛止具の前記縁部が前記横桟部の下側に回り込み横桟部に掛けたズボン等のずれを抑制できる。
【発明の効果】
【００２３】
以上説明したように本発明に係る衣服用ハンガーにズボンを掛止めるためのズボン等掛止具とズボン等掛止具付き衣服用ハンガーとは、その構成により、以下の効果を有する。
フック部と肩掛部と横桟部とを有する衣服用ハンガーのためのズボン等掛止具を、掛止部を設けられ前記掛止部から所定の距離だけ離れた位置にある縁部を持つ可撓性の板状部材を用い、前記掛止部を前記フック部に掛けて止め、前記掛止部から前記縁部に寄った側を前記肩掛部と前記横桟部との間に通すと、撓んで前記縁部に近い箇所を前記横桟部に押付ける様にしたので、ズボン等掛止具が、衣服用ハンガーのフック部に貫通された前記貫通部を支持点として板状部材の撓みにより縁部に近い箇所を前記横桟部に押付けて、横桟部に掛けたズボン等を掛け止めることをできる。
また、フック部と肩掛部と横桟部とを有する衣服用ハンガーのためのズボン等掛止具を、一方の面から他方の面に貫通した貫通部を設けられ前記貫通部から所定の距離だけ離れた位置にある縁部を持つ可撓性の板状部材を用い、前記フック部の上部が一方の面の側に位置する様に前記フック部を前記貫通部に貫通させ、前記貫通部から前記縁部に寄った側を前記肩掛部と前記横桟部との間に通すと、撓んで前記縁部に近い箇所を前記横桟部に押付ける様にしたので、ズボン等掛止具が、衣服用ハンガーのフック部の下部に貫通された前記貫通部を支持点として板状部材の撓みにより縁部に近い箇所を前記横桟部に押付けて、横桟部に掛けたズボン等を掛け止めることをできる。
また、フック部と肩掛部と横桟部とを有する衣服用ハンガーのためのズボン等掛止具を、面から突起した部分に上下方向に貫通した貫通部を備え貫通部から所定の距離だけ離れた位置にある縁部を持つ可撓性の板状部材を用い、前記フック部の上部が他方の面の側に位置する様に前記フック部を前記貫通部に貫通させ、前記貫通部から前記縁部に寄った側を前記肩掛部と前記横桟部との間に通すと、撓んで前記縁部に近い箇所を前記横桟部に押付ける様にしたので、ズボン等掛止具が、衣服用ハンガーのフック部の下部に貫通された前記貫通部を支持点として板状部材の撓みにより縁部に近い箇所を前記横桟部に押付けて、横桟部に掛けたズボン等を掛け止めることをできる。
また、カバー部材が、前記横桟部に押付けられた前記縁部に近い箇所の少なくとも一部を覆う様にしたので、前記カバー部材が前記横桟部に掛けたズボン等を押さえて掛け止める。
また、前記ズボン等掛止具の波状に成形された前記縁部に近い箇所の少なくとも一部が前記横桟部に押付けられる様にしたので、ズボン等掛止具の波状の部分で横桟部に掛けたズボン等を押さえて掛け止めることをできる。
また、前記ズボン等掛止具の波状に成形された前記縁部に近い箇所の少なくとも一部が前記横桟部に向かって突起する様にしたので、ズボン等掛止具の突起している部分で横桟部に掛けたズボン等を押さえて掛け止めることをできる。
また、ズボン等掛止具の前記縁部の少なくとも一部が前記横桟部の下側に回り込む様にしたので、前記縁部が前記横桟部の下側に回り込み横桟部に掛けたズボン等のずれを抑制できる。
従って、簡易な構成で確実に衣服を掛けることのできるズボン等掛止具付き衣服用ハンガーを提供できる。
【発明を実施するための最良の形態】
【００２４】
以下、本発明を実施するための最良の形態を、図面を参照して説明する。なお、各図において、共通する部分には同一の符号を付し、重複した説明を省略する。
【００２５】
ズボン等掛止具付き衣服用ハンガーは、ズボン等を掛止めることをできる衣服用ハンガーである。
ズボン等掛止具付き衣服用ハンガーは、衣服用ハンガーとズボン等掛止具とで構成される。
図１は、衣服用ハンガーの斜視図である。
説明の便宜上、ハンガーに掛けた衣服の胸部の向きを前方と、背部の向きを後方と、右袖の向きを右方と、左袖の向きを左方と呼称する。
【００２６】
衣服用ハンガー１０は、衣服を掛けることのできるものであり、フック部１１と肩掛部１２と横桟部１３とで構成される。
例えば、衣服用ハンガー１０は、射出成形により一体に成形された樹脂性のものである。
例えば、衣服用ハンガー１０は、一本の鍍金された鋼線を折り曲げて成形されたものである。
【００２７】
フック部１１は、上部を鉤状に湾曲させ下部を縦方向に延ばした棒状の部分である。
フック部１１の下端部が肩掛部１２に連結している。
【００２８】
肩掛部１２は、中央部をフック部１１の下部に連結して左右に拡がり衣服の肩部を掛けることをできる部分である。
例えば、肩掛部１２の中央部が、フック部１１の下端部に連結している。
例えば、肩掛部１２の左右の端部が、横桟部１３の端部に連結している。
衣服の上衣が、肩掛部１２に掛けられる。
【００２９】
横桟部１３は、肩掛部の下方に位置し肩掛部に端部を連結し水平に伸びた棒状の部材である。
横桟部１３の端部が、肩掛部１２の端部に連結する。
例えば、横桟部１３の左右の端部が、肩掛部１２の左右の端部に各々連結する。
衣服の下衣が、横桟部１３に掛けられる。
【００３０】
衣服用ハンガーは、一本の鍍金された鋼線を折り曲げて成形されたものである場合、
一本の鍍金された鋼線で、一筆書きの様に、フック部１１、肩掛部１２の左右の一方、横桟部１３、肩掛部１２の左右の他方を順に成型し、フック部１１の下部に絡まったものである。
衣服用ハンガーは、一本成形されたものである場合、樹脂を型に射出して所定の形状になったものである。
【００３１】
ズボン等掛止具２０は、衣服用ハンガーにズボン等を掛止めるための部材であり、板状部材２１で構成される。
ズボン等は、衣服の下衣の総称であり、ズボン、スカート、エプロン等である。
板状部材２１は、フック部１１に掛けて止める部分である掛止部２２を設けられ掛止部２２から所定の距離だけ離れた位置にある縁部２３を持つ可撓性の板状の部材である。
掛止部２２をフック部１１に掛けて止め、掛止部２２から縁部２３に寄った側を肩掛部１２と横桟部１３との間に通すと、撓んで板状部材２１の一方の面Ｆの縁部２３に近い箇所が横桟部１３に押付けられる。
ここで、説明の便宜のために、ズボン等掛止具２０の横桟部１３に押付けられる縁部２３に近い箇所を押付け面Ｓと呼称する。
【００３２】
以下に、各種の実施形態にかかるズボン等掛止具を各々に、説明する。
【００３３】
最初に、第１の実施形態にかかるズボン等掛止具を、図を基に説明する。
図２は、本発明の第１の実施形態に係るズボン等掛止具の斜視図である。
【００３４】
ズボン等掛止具２０は、板状部材２１で構成される。
板状部材２１は、フック部１１に掛けて止める部分である掛止部２２を設けられ掛止部２２から所定の距離だけ離れた位置にある縁部２３を持つ可撓性の部材である。
掛止部２２は、板状部材の一方の面Ｆから他方の面Ｒに貫通する貫通部２２ａであってもよい。
例えば、貫通部２２ａは、貫通穴である。
フック部１１の上部が一方の面Ｆの側に位置する様にフック部１１を貫通部２２ａに貫通させて掛けて止め、貫通部２２ａから縁部２３に寄った側を肩掛部１２と横桟部１３との間に通すと、撓んで板状部材２１の一方の面Ｆの縁部２３に近い箇所が横桟部１３に押付けられる。
例えば、板状部材２１は、金属の板でできていいる。
例えば、板状部材２１は、ステンレスの板でできている。
【００３５】
図２は、板状部材２１が、フック部１１により貫通可能な貫通穴を設けられているのを示している。
さらに、図２は、他の１個の貫通穴が縁部２３の側に設けられる。この様にするとズボン等掛止具２０を上下逆さまにしても用いることをできる。
ズボン等を横桟部１３に掛けると、ズボン等が横桟部１３と押付け面Ｓとに挟まれて、掛止められる。
図２は、板状部材２１が角部にアールを付けた長方形の形状を持つのを示している。
【００３６】
次に、本発明の第２の実施形態に係るズボン等掛止具を、図を基に、説明する。
図３は、本発明の第２の実施形態に係るズボン等掛止具の斜視図である。
【００３７】
ズボン等掛止具２０は、板状部材２１とカバー部材２４とで構成される。
板状部材２１は、フック部１１に掛けて止める部分である掛止部２２を設けられ掛止部２２から所定の距離だけ離れた位置にある縁部２３を持つ可撓性の部材である。
板状部材２１は、第１の実施形態にかかるズボン等掛止具のものと同じなので、説明を省略する。
【００３８】
カバー部材２４は、横桟部に押付けられる縁部に近い箇所を覆う部材である。
例えば、カバー部材２４は、押付け面Ｓとその裏面を覆う伸縮性のある面材である。
例えば、カバー部材２４は、弾性のある膜状部材である。
例えば、カバー部材２４は、ゴム製またはエラストマー樹脂製の膜状部材である。
【００３９】
図３は、図２に比べて、幅寸法の小さい板状部材２１と板状部材２１の押付け面Ｓとその裏面を覆うカバー部材２４を示している・
ズボン等を横桟部１３に掛けると、ズボン等が横桟部１３とカバー部材２４の押付け面Ｓとに挟まれて、掛止められる。
【００４０】
次に、本発明の第３の実施形態に係るズボン等掛止具を、図を基に、説明する。
図４は、本発明の第３の実施形態に係るズボン等掛止具の斜視図である。
【００４１】
ズボン等掛止具１０は、板状部材２１で構成され、縁部２３に近い箇所の少なくとも一部が縁部２３を横桟部１３の下側に回り込ませる様に屈曲している。
説明の便宜のために、押付け面Ｓから屈曲している下部を屈曲部２１ａと呼称する。
板状部材２１は、フック部１１に掛けて止める部分である掛止部２２を設けられ掛止部２２から所定の距離だけ離れた位置にある縁部２３を持つ可撓性の部材である。
掛止部２２は、板状部材の一方の面から他方の面に貫通する貫通部２２ａであってもよい。
例えば、貫通部２２ａは貫通穴である。
フック部１１の上部が一方の面Ｆの側に位置する様にフック部１１を貫通部２２に貫通させて掛けて止め、貫通部２２から縁部２３に寄った側を肩掛部１２と横桟部１３との間に通すと、撓んで板状部材２１の一方の面Ｆの縁部２３に近い箇所が横桟部１３に押付けられる。
【００４２】
図４は、板状部材２１が、上辺が下辺より小さな台形形状をし、下辺に相当する縁部２３を横桟部１３の下側に回り込ませる様に、縁部に近い個所が屈曲しているのを示している。
ズボン等を横桟部１３に掛けると、ズボン等が横桟部１３と板状部材２１の押付け面Ｓとに挟まれて、さらに屈曲部２１ａに支えられて、掛止められる。
【００４３】
次に、本発明の第４の実施形態に係るズボン等掛止具を、図を基に、説明する。
図５は、本発明の第４の実施形態に係るズボン等掛止具の斜視図である。
ズボン等掛止具２０は、板状部材２１と突起部材２５とで構成され、横桟部１３に押付けられる縁部２３に近い箇所の少なくとも一部が横桟部１３に向かって突起する。
板状部材２１は、フック部１１に掛けて止める部分である掛止部２２を設けられ掛止部２２から所定の距離だけ離れた位置にある縁部２３を持つ可撓性の部材である。
掛止部２２が板状部材の一方の面から他方の面に貫通する貫通部２２ａであってもよい。
例えば、貫通部２２ａは貫通穴である。
フック部１１の上部が一方の面Ｆの側に位置する様にフック部１１を貫通部２２ａに貫通させて掛けて止め、貫通部２２ａから縁部２３に寄った側を肩掛部１２と横桟部１３との間に通すと、撓んで板状部材２１の一方の面Ｆの縁部２３に近い箇所が横桟部に押付けられる。
【００４４】
突起部材２５は、板状部材２１の押付け部Ｓに設けられるので、横桟部に押付けられる縁部２３に近い箇所が横桟部１３に向かって突起する。
例えば、突起部材２５は、板状部材２１の押付け面Ｓに設けられた取付用穴に取り付けられる。
【００４５】
図５は、複数の円形の突起部材２５が押付け面Ｓに固定されるのを示している。
ズボン等を横桟部１３に掛けると、ズボン等が横桟部１３と板状部材２１の押付け面Ｓとに挟まれて、さらに突起部材２５に支えられて、掛止められる。
【００４６】
次に、本発明の第５の実施形態に係るズボン等掛止具を、図を基に、説明する。
図６は、本発明の第５の実施形態に係るズボン等掛止具付き衣服用ハンガーの斜視図である。
【００４７】
ズボン等掛止具２０は、板状部材２１で構成される。
板状部材２１は、フック部１１に掛けて止める部分である掛止部２２を設けられ掛止部２２から所定の距離だけ離れた位置にある縁部２３を持つ可撓性の部材である。
掛止部２２が板状部材２１の一方の面Ｆから他方の面Ｒに貫通する貫通部であってもよい。
例えば、貫通部２２ａは切欠き部である。
フック部１１の上部が一方の面Ｆの側に位置する様にフック部１１を貫通部２２に貫通させて掛けて止め、貫通部２２から縁部２３に寄った側を肩掛部１２と横桟部１３との間に通すと、撓んで板状部材２１の一方の面Ｆの縁部２３に近い箇所が横桟部１３に押付けられる。
【００４８】
図６は、板状部材２１は、フック部により貫通可能な切欠き部２２ｂを設けられているのを示している。
切欠き部２２ｂは、板状部材２１の横側から中央に向かって切り欠かれた部分とその部分に繋がり中央部に縦方向に切り欠かれた部分とで形成される。
この様にすると、ズボン等掛止具２０を衣服用ハンガー１０にセットしたり、外したりするのを容易にできる。
【００４９】
次に、本発明の第６の実施形態に係るズボン等掛止具を、図を基に、説明する。
図７は、本発明の第６の実施形態に係るズボン等掛止具の斜視図である。
【００５０】
ズボン等掛止具２０は、板状部材２１で構成され、横桟部１３に押付けられる縁部２３に近い箇所の少なくとも一部が波状に成形されている。
板状部材２１は、フック部１１に掛けて止める部分である掛止部２２を設けられ掛止部２２から所定の距離だけ離れた位置にある縁部２３を持つ可撓性の部材である。
掛止部が板状部材の一方の面から他方の面に貫通する貫通部であってもよい。
例えば、貫通部２２ａは貫通穴である。
フック部１１の上部が一方の面の側に位置する様にフック部１１を貫通部２２ａに貫通させて掛けて止め、貫通部２２ａから縁部２３に寄った側を肩掛部１２と横桟部１３との間に通すと、板状部材２１の一方の面Ｆの縁部２３に近い箇所が横桟部１３に押付けられる。
説明の便宜のために、波状に成形されている部分を波状部２７と呼称する。
【００５１】
例えば、板状部材２６は、略長方形の平面部２６ａと上下方向に延びた複数の強め材部（リブ部２６ｂ）とででき、リブ部２６ｂの押付け面Ｓが波状に成型された構造部材である。
例えば、板状部材２６は、樹脂製である。
図７は、板状部材２６が略長方形の平面部と４本のリブ部２６ｂとを持ち、リブ部２６ｂの押付け面が波状に成型されている構造部材であることを示している。
ズボン等を横桟部１３に掛けると、ズボン等が横桟部１３とリブ部２６ｂにある波状部２７とに挟まれて、掛止められる。
【００５２】
次に、本発明の第７の実施形態に係るズボン等掛止具を、図を基に、説明する。
図８は、本発明の第７の実施形態に係るズボン等掛止具の斜視図である。
ズボン等掛止具２０は、板状部材２１とカバー部材２８とで構成され、横桟部１３に押付けられる縁部２３に近い箇所の少なくとも一部が波状に成形されている。
板状部材２１は、フック部１１に掛けて止める部分である掛止部２２を設けられ掛止部２２から所定の距離だけ離れた位置にある縁部２３を持つ可撓性の部材である。
掛止部２２が板状部材２１の一方の面から他方の面に貫通する貫通部２２ａであってもよい。
例えば、貫通部２２ａは貫通穴である。
フック部１１の上部が一方の面Ｆの側に位置する様にフック部１１を貫通部２２ａに貫通させて掛けて止め、貫通部２２ａから縁部２３に寄った側を肩掛部１２と横桟部１３との間に通すと、撓んで板状部材２１の一方の面Ｆの縁部２３に近い箇所が横桟部１３に押付けられる。
カバー部材２８は、少なくとも横桟部１３に押付けられる縁部２３に近い箇所の少なくとも一部を覆う部材である。
また、ズボン等掛止具２０の横桟部１３に押付けられる縁部２３に近い箇所が波状に成形されている。
説明の便宜のために、カバー部材２８の押付け面Ｓを波状に成形される部分を波状部２７と呼称する。
【００５３】
図８は、板状部材２１が貫通穴２２ａを設けられた略長方形の部材であり、カバー部材２８が板状部材２１の周辺が嵌り込む溝をもち、押付け面Ｓのある一方の面が縁部の周囲を残して開放された部材であるのを示している。
また、カバー部材２８は押付け面Ｓを波状に成形される。
例えば、板状部材２１が弾性のある金属製の板材であり、カバー部材２８がゴム製または樹脂製の部材である。樹脂はポリマー樹脂でもよい。
ズボン等を横桟部１３に掛けると、ズボン等が横桟部１３とカバー部材２８の波状部２７とに挟まれて、掛止められる。
【００５４】
次に、本発明の第８の実施形態に係るズボン等掛止具を、図を基に、説明する。
図９は、本発明の第８の実施形態に係るズボン等掛止具の斜視図である。
ズボン等掛止具２０は、板状部材２１で構成され、横桟部１３に押付けられる縁部２３に近い箇所の少なくとも一部が横桟部１３に向かって突起する。
板状部材２１は、フック部１１に掛けて止める部分である掛止部２２を設けられ掛止部２２から所定の距離だけ離れた位置にある縁部２３を持つ可撓性の部材である。
掛止部２２が板状部材２１の一方の面Ｆから他方の面Ｒに貫通する貫通部であってもよい。
例えば、貫通部２２ａは貫通穴である。
フック部１１の上部が一方の面Ｆの側に位置する様にフック部１１を貫通部２２ａに貫通させて掛けて止め、貫通部２２から縁部２３に寄った側を肩掛部１２と横桟部１３との間に通すと、撓んで板状部材２１の一方の面Ｆの縁部２３に近い箇所が横桟部１３に押付けられる。
横桟部１３に押付けられる縁部２３に近い箇所が横桟部１３に向かって突起する。
【００５５】
図９は、板状部材２１が、略長方形の板材であり、押付け面Ｓに当たる部分がＵ字状に屈曲して、押付け面Ｓが横桟部１３に向かって突起するのを示している。
ここで、説明の便宜上、押付け面ｓの突起している部分を突起部２１ｂと呼称する。
ズボン等を横桟部１３に掛けると、ズボン等が横桟部１３と突起部２１ｂとに挟まれて、掛止められる。
【００５６】
次に、本発明の第９の実施形態に係るズボン等掛止具を、図を基に、説明する。
図１０は、本発明の第９の実施形態に係るズボン等掛止具の斜視図である。
【００５７】
ズボン等掛止具２０は、板状部材２１で構成される。
板状部材２１は、フック部１１に掛けて止める部分である掛止部２２を設けられ掛止部２２から所定の距離だけ離れた位置にある縁部２３を持つ可撓性の部材である。
掛止部２２が板状部材２１の一方の面Ｆから他方の面Ｒに貫通する貫通部であってもよい。
例えば、貫通部２２ａは切欠き部である。
フック部１１の上部が一方の面Ｆの側に位置する様にフック部１１を貫通部２２に貫通させて掛けて止め、貫通部２２から縁部２３に寄った側を肩掛部１２と横桟部１３との間に通すと、撓んで板状部材２１の一方の面Ｆの縁部２３に近い箇所が横桟部１３に押付けられる、
【００５８】
図１０は、板状部材２１は、フック部により貫通可能な切欠き部を設けられているのを示している。
切欠き部は、板状部材２１の上辺から切り欠かれた幅の狭い部分とその下端の幅の広い部分とで形成される。
幅の狭い部分の幅寸法は、フック部の幅寸法より小さい。
この様にすると、フック部１１から切欠き部から外れにくくなる。
この様にすると、ズボン等掛止具２０を衣服用ハンガー１０にセットしたり、外したりできる。
【００５９】
次に、第１０の実施形態にかかるズボン等掛止具を、図を基に説明する。
図１１は、本発明の第１０の実施形態に係るズボン等掛止具の斜視図である。  図１２は、本発明の第１０の実施形態に係るズボン等掛止具付き衣服用ハンガーの斜視図である。  
図１２は、図１１の裏側を示している。
【００６０】
ズボン等掛止具は、板状部材２１で構成される。
板状部材２１は、フック部１１に掛けて止める部分である掛止部２２を設けられ掛止部２２から所定の距離だけ離れた位置にある縁部２３を持つ可撓性の部材である。
掛止部２２が、板状部材２１の他方の面Ｒの側に突起した部分であり、上下方向に貫通する貫通部２２ａを設けられてもよい。
例えば、掛止部２２は、板状部材２１の他方の面Ｒの側に突起した環状の形状をしている。
貫通部２２ａは、その環状の形状で囲われた隙間、または、その環状の形状と板状部材２１の他方の面Ｒとで囲われた隙間である。
フック部１１の上部が他方の面Ｒの側に位置する様にフック部１１を貫通部２２ａに貫通させて掛けて止め、貫通部２２ａから縁部２３に寄った側を肩掛部１２と横桟部１３との間に通すと、撓んで板状部材２１の一方の面Ｆの縁部２３に近い箇所Ｓが横桟部１３に押付けられる、
例えば、板状部材２１は、金属の板でできていいる。
例えば、板状部材２１は、ステンレスの板でできている。
【００６１】
図１２は、掛止部２２が板状部材２１の他方の面Ｒの側に突起した門型の形状をしており、貫通部２２ａがその門型と板状部材２１の他方の面Ｒとで囲われた隙間であるのを示している。
さらに、図１２は、他の１個の貫通穴が縁部２３の側に設けられるのを示している。この様にするとズボン等掛止具２０を上下逆さまにしても用いることをできる。
ズボン等を横桟部１３に掛けると、ズボン等が横桟部１３と押付け面Ｓとに挟まれて、掛止められる。
図１２は、板状部材２１が角部にアールを付けた長方形の形状を持つのを示している。
【００６２】
次に、第１１の実施形態にかかるズボン等掛止具を、図を基に説明する。
図１３は、本発明の第１１の実施形態に係るズボン等掛止具付き衣服用ハンガーの斜視図である。  
【００６３】
ズボン等掛止具２０は、板状部材２１で構成される。
板状部材２１は、フック部１１に掛けて止める部分である掛止部２２を設けられ掛止部２２から所定の距離だけ離れた位置にある縁部２３を持つ可撓性の部材である。
掛止部２２が、板状部材２１の他方の面Ｒの側に突起した部分であり、上下方向に貫通する貫通部２２ａを設けられてもよい。
例えば、掛止部２２は、板状部材２１の他方の面Ｒの側に突起した１対の爪状の形状をしている。
貫通部２２ａは、その１対の爪状の形状で囲われた隙間、または、その１対の爪状の形状と板状部材２１の他方の面Ｒとで囲われた隙間である。
フック部１１の上部が他方の面Ｒの側に位置する様にフック部１１を貫通部２２ａに貫通させて掛けて止め、貫通部２２ａから縁部２３に寄った側を肩掛部１２と横桟部１３との間に通すと、撓んで板状部材２１の一方の面Ｆの縁部２３に近い箇所Ｓが横桟部１３に押付けられる、
例えば、板状部材２１は、金属の板でできていいる。
例えば、板状部材２１は、ステンレスの板でできている。
【００６４】
図１３は、掛止部２２が板状部材２１の他方の面Ｒの側に突起した１対の逆Ｋ字状の形状をしており、貫通部２２ａがその１対の逆Ｌ字状の形状と板状部材２１の他方の面Ｒとで囲われた隙間であるのを示している。
さらに、図１３は、他の１個の貫通穴が縁部２３の側に設けられるのを示している。この様にするとズボン等掛止具２０を上下逆さまにしても用いることをできる。
ズボン等を横桟部１３に掛けると、ズボン等が横桟部１３と押付け面Ｓとに挟まれて、掛止められる。
図１３は、板状部材２１が角部にアールを付けた長方形の形状を持つのを示している。
【００６５】
以下に、ズボン等掛止具付き衣服用ハンガーの使用方法の一例を、図を基に、説明する。
図１０は、本発明の実施形態に係る衣服用ハンガーの取扱説明図である。
ここでは、衣服はユニフォームの上下であるとして説明する。
【００６６】
−水洗い工程−
使用済みのユニフォームを水洗いする。
水洗いされたユニホームの上下をズボン等掛止具付き衣服用ハンガーに掛ける。
【００６７】
−蒸気工程−
ユニホームをズボン等掛止具付き衣服用ハンガーに掛けたまま蒸気をかける。
【００６８】
−乾燥工程−
ユニホームをズボン等掛止具付き衣服用ハンガーに掛けたまま乾燥させる。
ズボン等掛止具をズボン等掛止具付き衣服用ハンガーから外すことがあある。外したズボン等掛止具を水洗い工程へ戻す。
【００６９】
−発送工程−
ユニホームをズボン等掛止具付き衣服用ハンガーに掛けたまま発送する。
受け取り側が、ユニホームをズボン等掛止具付き衣服用ハンガーから外して、ズボン等掛止具付き衣服用ハンガーをクリーニングに返却する。
または、ユニホームをズボン等掛止具付き衣服用ハンガーに掛けたままにする。
【００７０】
−使用−
ユニホームを使用する。
ユニホームをズボン等掛止具付き衣服用ハンガーに掛けたまま使用する場合、使用済みのユニホームをズボン等掛止具付き衣服用ハンガーと共にクリーニングへ返却する。
【００７１】
上述の実施形態の衣服用ハンガーを用いれば、以下の効果を発揮する。
フック部１１と肩掛部１２と横桟部１３とを有する衣服用ハンガー１０のためのズボン等掛止具２０を、掛止部２２を設けられ掛止部２２から所定の距離だけ離れた位置にある縁部２３を持つ可撓性の板状部材２１を有し、掛止部２２をフック部１１に掛けて止め、掛止部２２から縁部２３に寄った側を肩掛部１２と横桟部１３との間に通し、縁部２３に近い箇所を横桟部１３に押付ける様にしたので、ズボン等掛止具２０が、衣服用ハンガー１０のフック部１１の下部に貫通された貫通部２２を支持点として板状部材２１の撓みにより縁部２３に近い箇所Ｓを横桟部に押付けて、横桟部１３に掛けたズボン等を掛け止めることをできる。
また、フック部１１と肩掛部１２と横桟部１３とを有する衣服用ハンガー１０のためのズボン等掛止具２０を、一方の面から他方の面に貫通した貫通部２２を設けられ貫通部２２から所定の距離だけ離れた位置にある縁部２３を持つ可撓性の板状部材２１を有し、フック部１１の上部が一方の面の側に位置する様にフック部１１を貫通部２３に貫通させて掛けて止め、貫通部２２から縁部２３に寄った側を肩掛部１２と横桟部１３との間に通し、縁部２３に近い箇所を横桟部に押付ける様にしたので、ズボン等掛止具が、衣服用ハンガーのフック部の下部に貫通された貫通部を支持点として板状部材の撓みにより縁部に近い箇所を横桟部に押付けて、横桟部に掛けたズボン等を掛け止めることをできる。
また、フック部１１と肩掛部１２と横桟部１３とを有する衣服用ハンガー１０のためのズボン等掛止具２０を、面に設けられた突起部を上下方向に貫通した貫通部２３を設けられ貫通部２３から所定の距離だけ離れた位置Ｓにある縁部を持つ可撓性の板状部材を有し、フック部１１の上部が他方の面Ｒの側に位置する様にフック部１１を貫通部２３に貫通させて掛けて止め、貫通部２２から縁部２３に寄った側を肩掛部１２と横桟部１３との間に通し、縁部２３に近い箇所を横桟部１３に押付ける様にしたので、ズボン等掛止具２０が、衣服用ハンガー１０のフック部の下部に貫通された貫通部２３を支持点として板状部材２１の撓みにより縁部に近い箇所Ｓを横桟部１３に押付けて、横桟部１３に掛けたズボン等を掛け止めることをできる。
また、カバー部材２４が、横桟部１３に押付けられた縁部２３に近い箇所を覆う様にしたので、カバー部材２４で横桟部１３に掛けたズボン等を掛け止めることをでき、また板状部材２１を横桟部１３に掛けたズボン等に直接に接触させないようにできる。
また、ズボン等掛止具２０の波状に成形された縁部２３に近い箇所が横桟部１３に押付けられる様にしたので、ズボン等掛止具２０の波状の部分で横桟部１３に掛けたズボン等を掛け止めることをできる。
また、ズボン等掛止具２０の波状に成形された縁部２３に近い箇所が横桟部１３に向かって突起する様にしたので、ズボン等掛止具の突起している部分で横桟部１３に掛けたズボン等を掛け止めることをできる。
また、ズボン等掛止具２０の縁部２３が横桟部１３の下側に回り込む様にしたので、縁部２３が横桟部１３に掛けたズボン等のずれを抑制できる。
また、衣服ハンガー１０とズボン等掛止具２０とを耐熱性の材質にすることが容易であり、その様にすると、衣服をズボン等掛止具付き衣服ハンガーに掛けたまま蒸気処理又は乾燥処理をすることもできる。
また、貫通部を切欠き形状としたので、ズボン等掛止具の取り外しが容易にできる。
【００７２】
本発明は以上に述べた実施形態に限られるものではなく、発明の要旨を逸脱しない範囲で各種の変更が可能である。
実施例では、ズボン等掛止具を特に他の用途に利用していないが、これに限定されず、例えば、管理用のタグ等をズボン等掛止具に設けることもできる。
板状部材２１が貫通部２２以外に穴のあいていない構造であるとして説明したがこれに限定されず、例えば、軽め穴等が設けられていてもよい。
【図面の簡単な説明】
【００７３】
【図１】衣服用ハンガーの斜視図である。
【図２】本発明の第１の実施形態に係るズボン等掛止具の斜視図である。
【図３】本発明の第２の実施形態に係るズボン等掛止具の斜視図である。
【図４】本発明の第３の実施形態に係るズボン等掛止具の斜視図である。
【図５】本発明の第４の実施形態に係るズボン等掛止具の斜視図である。
【図６】本発明の第５の実施形態に係るズボン等掛止具の斜視図である。
【図７】本発明の第６の実施形態に係るズボン等掛止具の斜視図である。
【図８】本発明の第７の実施形態に係るズボン等掛止具の斜視図である。
【図９】本発明の第８の実施形態に係るズボン等掛止具の斜視図である。
【図１０】本発明の第９の実施形態に係るズボン等掛止具の斜視図である。
【図１１】本発明の第１０の実施形態に係るズボン等掛止具の斜視図である。
【図１２】本発明の第１０の実施形態に係るズボン等掛止具の斜視図である。
【図１３】本発明の第１１の実施形態に係るズボン等掛止具の斜視図である。
【図１４】本発明の実施形態に係るズボン等掛止具付き衣服用ハンガーの取扱説明図である。
【符号の説明】
【００７４】
Ｓ    押付け面
Ｆ    一方の面
Ｒ    他方の面
１０    衣服用ハンガー
１１    フック部
１２    肩掛部
１３    横桟部
２０    ズボン等掛止具
２１    板状部材
２１ａ  屈曲部
２１ｂ  突起部
２２    掛止部
２２ａ  貫通部
２３    縁部
２４    カバー部材
２５    突起部材
２６    板状部材
２６ａ  平面部
２６ｂ  リブ部
２７    波状部
２８    カバー部材
【図１】
2009125156.tif 000003
【図２】
2009125156.tif 000004
【図３】
2009125156.tif 000005
【図４】
2009125156.tif 000006
【図５】
2009125156.tif 000007
【図６】
2009125156.tif 000008
【図７】
2009125156.tif 000009
【図８】
2009125156.tif 000010
【図９】
2009125156.tif 000011
【図１０】
2009125156.tif 000012
【図１１】
2009125156.tif 000013
【図１２】
2009125156.tif 000014
【図１３】
2009125156.tif 000015
【図１４】
2009125156.tif 000016